(57)【特許請求の範囲】
【請求項１】
一面開口し複数の開閉器が納装されたボディと、ボディの開口側に結合され開閉器を配置している領域に対応した開口部が形成されたカバーと、開口部を左右方向に複数枚突き合わせて覆うとともに開閉器の操作部を前面側に露出させる窓孔を有したパネルとを備え、開口部の左右両端部には前面がパネルの厚み分だけ後退した位置で受け片が形成されるとともに開口部の上下方向周縁には前面がパネルの厚み分だけ後退した位置で開口部内に突出する係止突起を設け、少なくとも１枚のパネルの後面周部には係止突起の後面側に重複してパネルとの間で係止突起を挟む保持突起を設け、係止突起および保持突起は係止突起を設けた開口部の周縁に沿ってパネルを開口部の左右方向にスライドさせることにより係止突起と保持突起とが重複する位置と重複しない位置との間で移動可能となる形状に形成されて成ることを特徴とする住宅用分電盤。
【請求項２】
前記開閉器が分岐開閉器であって複数列設され、分岐開閉器の操作部を露出させる窓孔を有したパネルに前記保持突起を設けていることを特徴とする請求項１記載の住宅用分電盤。
【請求項３】
前記開口部の定位置にパネルが位置するときに前記保持突起に当接してパネルの移動を規制する位置決め壁を前記係止突起に設けたことを特徴とする請求項１または請求項２記載の住宅用分電盤。
【請求項４】
前記開口部において前記パネル同士が突き合わされる部位の後面側には開口部の周縁間に跨る柱が形成されていることを特徴とする請求項１ないし請求項３のいずれかに記載の住宅用分電盤。
【発明の詳細な説明】
【０００１】
【発明の属する技術分野】
本発明は、一般家庭用の住宅用分電盤に関する。
【０００２】
【従来の技術】
この種の分電盤としては、特開平６−１５３３３９号公報に記載されたものが知られている。この公報に記載された分電盤では、開閉器である主幹回路遮断器および複数の分岐回路遮断器を前面開口したボディに収納し、ボディの前面には主幹回路遮断器および分岐回路遮断器の操作部を露出させる窓孔を設けたカバーを取り付けてある。ただし、窓孔の周部はカバーと一体であって、主幹回路遮断器や分岐回路遮断器の位置や個数に応じて仕様の異なるカバーが用いられる。このように、主幹回路遮断器や分岐回路遮断器などの内器の仕様に応じて、異なる仕様のカバーを作製しなければならないから、カバーの製造や在庫のコストが増加するという問題を有している。
【０００３】
これに対して、実開昭５１−４６０３１号公報に記載された分電盤では、図８に示すように、カバー２０’において主幹回路遮断器や分岐回路遮断器に対応する部位に開口部２２’を形成し、開口部２２’にパネル２３’を装着する構成により、内器の配置や個数の仕様に応じてパネル２３’のみを変更すれば対応できるようにしてある。つまり、パネル２３’には開口部２２’の周縁に係止される爪４５’が設けられている。
【０００４】
【発明が解決しようとする課題】
しかしながら、上記公報に記載された分電盤では、パネル２３’に一体に設けた爪４５’の弾性を利用しているから爪４５’が折損するおそれがあり、パネル２３’を十分な強度でカバー２０’に取り付けることができない場合がある。また、分岐回路遮断器は複数個設けられるから、分岐回路遮断器の操作部をパネル２３’に通す際に操作部がパネル２３’に当たりやすく、分岐回路遮断器に対応するパネル２３’に大きな力が作用して爪４５’が折損したり、パネル２３’が外れたりする場合がある。
【０００５】
本発明は上記事由に鑑みて為されたものであり、その目的は、内器の仕様が異なっていてもパネルの交換のみでカバーを共用できるようにし、しかもパネルをカバーに対して強固に取り付けることができるようにした住宅用分電盤を提供することにある。
【０００６】
【課題を解決するための手段】
請求項１の発明は、一面開口し複数の開閉器が納装されたボディと、ボディの開口側に結合され開閉器を配置している領域に対応した開口部が形成されたカバーと、開口部を左右方向に複数枚突き合わせて覆うとともに開閉器の操作部を前面側に露出させる窓孔を有したパネルとを備え、開口部の左右両端部には前面がパネルの厚み分だけ後退した位置で受け片が形成されるとともに開口部の上下方向周縁には前面がパネルの厚み分だけ後退した位置で開口部内に突出する係止突起を設け、少なくとも１枚のパネルの後面周部には係止突起の後面側に重複してパネルとの間で係止突起を挟む保持突起を設け、係止突起および保持突起は係止突起を設けた開口部の周縁に沿ってパネルを開口部の左右方向にスライドさせることにより係止突起と保持突起とが重複する位置と重複しない位置との間で移動可能となる形状に形成されているものである。
【０００７】
請求項２の発明は、請求項１の発明において、前記開閉器が分岐回路遮断器であって複数列設され、分岐回路遮断器の操作部を露出させる窓孔を有したパネルに前記保持突起を設けているものである。
【０００８】
請求項３の発明は、請求項１または請求項２の発明において、前記開口部の定位置にパネルが位置するときに前記保持突起に当接してパネルの移動を規制する位置決め壁を前記係止突起に設けたものである。
【００１０】
請求項４の発明は、請求項１ないし請求項３の発明において、前記開口部において前記パネル同士が突き合わされる部位の後面側に開口部の周縁間に跨る柱が形成されているものである。
【００１１】
【発明の実施の形態】
本実施形態は、図２および図３に示すように、開閉器である１つの主幹回路遮断器３１と開閉器（分岐開閉器）である複数の分岐回路遮断器３２とを箱体１の中に配置した分電盤であって、分岐回路遮断器３２は複数設けられ上下２列で並設してある。箱体１は合成樹脂成形品であって、矩形枠状のボディ１０と、ボディ１０の前面側（図３における右下向き面側）に結合されるカバー２０とで構成される。
【００１２】
ボディ１０は矩形枠状に形成された底板１１の外周縁の全周に亘って周壁１２が前方に突設された形状に形成され、底板１１の中央部には矩形状に開口した開口窓１３が形成される。底板１１には左右２個ずつの支持台１４ａ，１４ｂが突設されている。
【００１３】
ボディ１０に形成した左右の支持台１４ａ，１４ｂには、主幹回路遮断器３１や分岐回路遮断器３２などの内器を取り付けるための架台４０が架設される。架台４０は全体としては矩形状の平面形状をなし、四隅にそれぞれ設けた支持片４１が支持台１４ａ，１４ｂに載置されるとともに、支持台１４ａ，１４ｂに螺入される取付ねじ（図示せず）を用いてボディ１０に固定される。本実施形態では、主幹回路遮断器３１が遮断された状態でも火災報知器などへの電源を確保することができるように、主幹回路遮断器３１の電源側から電源を得る自立電源系を設けてあり、自立電源系には分岐回路遮断器３２とは別に内器としての自立回路遮断器３３が挿入される。自立回路遮断器３３は分岐回路遮断器３２と同構成を有するものであり、架台４０の左端部に取り付けられる。
【００１４】
底板１１における開口窓１３の周縁は全周に亘って前方に突出する補強突条１８を形成しており、補強突条１８により開口窓１３の周部が補強されている。つまり、比較的大面積である開口窓１３を形成しながらも、補強突条１８により剛性を保つことができる。さらに、底板１１のうち開口窓１３の上下の周縁には、左右方向に多数個の通し孔１９が等ピッチで形成される。
【００１５】
カバー２０は後端部外周面がボディ１０の周壁１２の前端部外周面にほぼ一致する保持枠２１を備え、保持枠２１には矩形状の開口部２２が形成される。カバー２０の後面には開口部２２を覆う形で複数枚（本実施形態では２枚）のパネル２３ａ，２３ｂが取り付けられる。パネル２３ａ，２３ｂはボディ１０に収納される主幹回路遮断器３１、分岐回路遮断器３２、自立回路遮断器３３の操作部であるハンドル３１ａ，３２ａ，３３ａを露出させる窓孔２４を有している。本実施形態では、パネル２３ａを主幹回路遮断器３１および自立回路遮断器３３に対応させ、パネル２３ｂを分岐回路遮断器３２に対応させてある。分岐回路遮断器３２は上下２列で１列６個ずつ並設されており、パネル２３ｂの窓孔２４は６個の分岐回路遮断器３２のハンドル３２ａを一括して露出させるように形成されている。つまり、パネル２３ｂには上下２個の窓孔２４が形成される。
【００１６】
また、カバー２０は開口部２２を覆う位置と開口部２２を開放する位置との間で開閉自在となるように軸着された扉体２５を備える。カバー２０の周壁外側面には上部を残して段差部２６が形成され、段差部２６より前側は内側に落ち込んでいる。扉体２５は開口部２２を覆う位置においてカバー２０の周壁外側面のうち段差部２６よりも前側の部位に重複するように形成され、開口部２２を覆う状態ではカバー２０の外周面と扉体２５の周壁外側面とがほぼ同一面上に位置する。また、扉体２５が閉じた状態で簡単に開かないように、扉体２５において軸部から遠い一端部の内側面にはロック突起２７が突設され、カバー２０の下端部にはロック突起２７を受けるキャッチ２８が設けられている。この種のキャッチ２８は周知の機構であって、ロック突起２７が挿入されるとロック突起２７が抜けないようにロックし、ロック突起２７をキャッチ２８を押し込んで離すとロック突起２７のロック状態が解除されるように構成されている。
【００１７】
ところで、図１および図２に示すように、開口部２２における上下両縁には左右方向において所定間隔で平板状の係止突起５１が開口部２２の内側に向かって突設されている。また、開口部２２の左右両端部には端部の係止突起５１に連続する形で受け片５２が形成されている。さらに、パネル２３ａ，２３ｂの突き合わせ部位に対応して開口部２２の上下両端縁間に跨る柱５３を形成してある。係止突起５１、受け片５２、柱５３の前面は同一平面であって、開口部２２の周縁に対してパネル２２の厚み分だけ後退した位置となるように形成されている。
【００１８】
一方、パネル２３ｂの周部後面には係止突起５１に重複してパネル２３ｂとの間で係止突起５１を挟む保持突起５４が上下２個ずつ形成されている。保持突起５４はパネル２３ｂの後面から突出する部分と、その部分の先端からパネル２３ｂの外向きに突出する部分とを有するＬ字状に形成され、パネル２３ｂの後面との間に係止突起５１の前後方向の厚み程度の幅を有した溝を形成している。この溝内に係止突起５１が挿入された状態では、パネル２３ｂの前後の移動が禁止されてパネル２３ｂがカバー２０に保持される。このときパネル２３ｂの後面は受け片５２と柱５３にも当接することになる。
【００１９】
保持突起５４は係止突起５１に対して左右方向においては相対的にスライド可能であり、係止突起５１は左右方向において保持突起５４の左右幅以上の間隔で配列されている。したがって、保持突起５４が係止突起５１と前後に重複しない位置までパネル２３ｂをスライドさせれば、パネル２３ｂをカバー２０から前方に取り外すことが可能になる。
【００２０】
すなわち、開口部２２にパネル２３ｂを装着するには、図４および図５に示すように、保持突起５４が係止突起５１に重複しない位置でパネル２３ｂを受け片５２と柱５３とに載せ、その後、パネル２３ｂを正面から見て右向きにスライドさせれば、図６および図７に示すように、保持突起５４が係止突起５１に重複する状態となり、パネル２３ｂがカバー２０に取着される。パネル２３ｂをカバー２０に取り付ける際にパネル２３ｂがカバー２０に対して所定位置まで移動すれば、パネル２３ｂの一端縁が開口部２２の周縁に当接することによってパネル２３ｂの移動は規制されるが、パネル２３ｂの厚みは小さいから、場合によってはパネル２３ｂが開口部２２の周縁に乗り上げる可能性もある。そこで、図１に示すように、係止突起５１の後面側には突起状の位置決め壁５５が形成され、パネル２３ｂがカバー２０に対して所定位置まで移動すると、保持突起５４が位置決め壁５５に当接してパネル２３ｂの移動が規制されるようになっている。
【００２１】
ところで、主幹回路遮断器３１に対応するパネル２３ａは周部後面に係止爪５６を備える。係止爪５６は係止突起５１と受け片５２とに引掛係止され、パネル２３ａをカバー２０に取り付ける。ここで、パネル２３ａの後方への移動は係止突起５１と受け片５２と柱５３とによって阻止され、前方への移動は係止爪５６によって規制される。
【００２２】
しかして、上述したように分岐回路遮断器３２に対応するパネル２３ｂをカバー２０に対してスライドさせることによってカバー２０に取り付け、その後、主幹回路遮断器３１に対応するパネル２３ａをカバー２０の前面から押しつけることによって取り付けると、図２に示すように、両パネル２３ａ，２３ｂによってカバー２０の開口部２２を覆うことができる。このとき、両パネル２３ａ，２３ｂの突き合わせ部分の後ろには柱５３が設けられているから、両パネル２３ａ，２３ｂの突き合わせ部分の隙間が目立たない。また、上述したように、係止突起５１、受け片５２、柱５３の前面は開口部２２の周囲に対してパネル２３ａ，２３ｂの厚み分だけ後退しているから、パネル２３ａ，２３ｂをカバー２０に装着した状態では、パネル２３ａ，２３ｂの前面と開口部２２の周囲とはほぼ凹凸なく連続し、見映えのよい外観を呈することになる。
【００２３】
なお、上述の実施形態では２枚のパネル２３ａ，２３ｂによってカバー２０の開口部２２を覆っているが、３枚以上のパネルを設けてもよい。その場合に、主幹回路遮断器３１に対応するパネルのみ係止爪５６により引掛係止する構成とし、分岐回路遮断器３２に対応する他のパネルはスライドさせる構成とする。
【００２４】
【発明の効果】
請求項１の発明は、一面開口し複数の開閉器が納装されたボディと、ボディの開口側に結合され開閉器を配置している領域に対応した開口部が形成されたカバーと、開口部を左右方向に複数枚突き合わせて覆うとともに開閉器の操作部を前面側に露出させる窓孔を有したパネルとを備え、開口部の左右両端部には前面がパネルの厚み分だけ後退した位置で受け片が形成されるとともに開口部の上下方向周縁には前面がパネルの厚み分だけ後退した位置で開口部内に突出する係止突起を設け、少なくとも１枚のパネルの後面周部には係止突起の後面側に重複してパネルとの間で係止突起を挟む保持突起を設け、係止突起および保持突起は係止突起を設けた開口部の周縁に沿ってパネルを開口部の左右方向にスライドさせることにより係止突起と保持突起とが重複する位置と重複しない位置との間で移動可能となる形状に形成されているものであり、カバーに形成した開口窓にパネルを装着し、パネルに設けた窓孔を通して開閉器の操作部を露出させる構成としているから、内器である開閉器の配置や個数が異なる場合でもパネルの交換のみで対応することができる。パネルはカバーに比較すると低コストであるから、製造および在庫に要する費用を低減することができる。また、パネルをスライドさせることによってカバーにパネルを取り付けることができるから、パネルの弾性を利用してパネルをカバーに取り付ける従来構成に比較すると、パネルが破損する可能性が少なくなり、しかもカバーに対するパネルの取付強度も大きくすることができる。しかも、カバーに形成された開口部の左右両端部には前面がパネルの厚み分だけ後退した位置で受け片が形成され、係止突起の前面は開口部の周囲に対してパネルの厚み寸法だけ後退しているものであり、パネルをカバーに取り付けたときにパネルの前面と開口部の周囲の前面とが面一になるから、カバーの表面に凹凸が形成されず、見映えのよい外観を呈する。
【００２５】
請求項２の発明は、請求項１の発明において、開閉器が分岐回路遮断器であって複数列設され、分岐回路遮断器の操作部を露出させる窓孔を有したパネルに保持突起を設けているものであり、分岐回路遮断器は箱体に複数設けられるから、組立時において分岐回路遮断器の操作部がパネルに当たってパネルに大きな力が作用しやすいが、パネルをスライドさせる方向と分岐回路遮断器からパネルに作用する力の方向とが直交するから、パネルが外れる可能性が少ないという効果がある。
【００２６】
請求項３の発明は、請求項１または請求項２の発明において、開口部の定位置にパネルが位置するときに保持突起に当接してパネルの移動を規制する位置決め壁を係止突起に設けたものであり、パネルをカバーに装着する際に、保持突起が位置決め壁に当接することによってパネルのカバーに対する移動が規制されるから、パネルをカバーに対して所定位置に正確に位置決めすることができる。
【００２８】
請求項４の発明は、請求項１ないし請求項３の発明において、開口部においてパネル同士が突き合わされる部位の後面側に開口部の周縁間に跨る柱が形成されているものであり、パネル同士の突き合わせ部分の後ろに柱を設けていることによって、突き合わせ部に隙間があっても目立たず、見映えのよい外観を呈する。また、柱をパネルの後面に当接するように設ければ、パネルの前面に外力が作用してもパネルが撓みにくくなり、パネルを薄型化して材料コストを低減することが可能になる。
【図面の簡単な説明】
【図１】本発明の実施の形態で用いるカバーの横断面図である。
【図２】同上の外観を示す正面図である。
【図３】同上の外観を示す分解斜視図である。
【図４】同上のパネル取付前のカバーの正面図である。
【図５】同上のパネル取付前のカバーの背面図である。
【図６】同上のパネル取付後のカバーの正面図である。
【図７】同上のパネル取付後のカバーの背面図である。
【図８】従来例を示し、（ａ）はカバーの正面図、（ｂ）はパネルの正面図、（ｃ）はパネルの断面図である。
【符号の説明】
１０  ボディ
２０  カバー
２２  開口部
２３ａ  パネル
２３ｂ  パネル
２４  窓孔
３１  主幹回路遮断器
３１ａ  ハンドル
３２  分岐回路遮断器
３２ａ  ハンドル
３３  自立回路遮断器
３３ａ  ハンドル
５１  係止突起
５３  柱
５４  保持突起
５５  位置決め壁
【図１】
0003622605.tif 000002
【図２】
0003622605.tif 000003
【図３】
0003622605.tif 000004
【図４】
0003622605.tif 000005
【図５】
0003622605.tif 000006
【図６】
0003622605.tif 000007
【図７】
0003622605.tif 000008
【図８】
0003622605.tif 000009